(57)【要約】【課題】タイツを履いてブーツを履いたときにどのように見えるのかを極めて簡単に確認するとともに、タイツとブーツとの調和を簡単に比較する。【解決手段】人が足に履くタイツＴが包装され、タイツＴを視覚により認識できる透明部分２３０を表面２１０に備えた略直方体形状のパッケージ２００に好適な展示治具１００であって、展示治具１００は、パッケージ２００を内包することができ、かつ、上面１２０が開いた箱型形状を備え、箱型形状における表面２１０に対応する平面１１０において、ブーツおよびブーツを履いている足部の写真が平面１１０に表示され、かつ、足部に対応する平面１１０が切り欠かれた部分１３０を有し、上面１２０からパッケージ２００を挿入して展示治具１００に内包した場合に、平面１１０において切り欠かれた部分１３０に透明部分２３０が位置する。【選択図】図２
2017093880.tif 000002
【特許請求の範囲】
【請求項１】
人が足に履く足被覆衣類が包装され、表面および裏面と薄い側面とで形成される略直方体形状のパッケージに好適な展示治具であって、
前記パッケージは、前記表面および前記裏面の少なくとも一方に透明部分または切欠部分を備え、前記透明部分または前記切欠部分を通して前記足被覆衣類が視覚により認識でき、
前記展示治具は、前記パッケージの形状に対応した大きさで前記パッケージを内包することができ、かつ、上面が開いた箱型形状を備え、
前記箱型形状における前記表面または前記裏面に対応する平面において、履物および前記履物を履いている足部の写真またはイラストが前記平面に表示され、かつ、前記足部に対応する前記平面が切り欠かれた部分または前記足部に対応する部分が透明な部分で形成され、
前記上面から前記パッケージを挿入して前記展示治具に内包した場合に、前記平面において切り欠かれた部分または透明な部分に前記透明部分または前記切欠部分が位置することを特徴とする、展示治具。
【請求項２】
２以上の前記展示治具から構成され、異なる展示治具の平面には異なる履物が表示されていることを特徴とする、請求項１に記載の展示治具。
【請求項３】
前記足被覆衣類はタイツであって、前記履物はブーツであることを特徴とする、請求項１または請求項２に記載の展示治具。
【発明の詳細な説明】
【技術分野】
【０００１】
本発明は、足被覆衣類の展示販売（陳列販売と同義）に好適に用いられる展示治具に関し、特に、その足被覆衣類を履いて様々な種類の靴等の履物をさらに履いた場合にどのように見えるのかを極めて簡単に確認することのできる展示治具に関する。ここで、足被覆衣類とは、人が足に着用する衣類であって、タイツ、パンティストッキング、レギンス、靴下、フットカバー等を含み、特に、冬季において多用される、ブーツとのコーディネイトが着目される女性用タイツである。
【背景技術】
【０００２】
一般に、衣類は、需要促進、販売促進、購入意欲喚起等のため、新素材の利用、着用性、体形補正等の各種の機能性向上や種々の改良が行われ、それらの改良がなされた衣類を展示販売するために、衣類に適したパッケージが種々工夫されている。
このようなパッケージとして、たとえば、本出願人が出願して実用新案登録されている、厚手タイツ用パッケージ（特許文献１：実用新案登録第３１９０５６１号公報）、試着が好ましくない衣類用のパッケージ（特許文献２：実用新案登録第３１９２７４６号公報）がある。
【０００３】
特許文献１に開示されたパッケージによると、厚手タイツに好適に用いられ、吊り下げても重ね合わせても破損することを回避できる、吊り下げタイプのパッケージを提供することができ、特許文献２に開示されたパッケージによると、試着が好ましくない衣類に好適に用いられ、吊り下げても平置きしても立て掛けても商品価値を損なうことがなく、商品の肌触りおよび形状等を直接確認することができる、衣類用のパッケージを提供することができる。なお、これらのパッケージにおいては、商品を包装しているが、その商品の少なくとも一部がパッケージから露出していて、その商品の色合い等を目視にて直接的に確認することができる。
【０００４】
ところで、冬季の外出時において、女性はタイツ等を履いた状態でさらにブーツ等の靴（履物）を履くことが多い。このような場合には、タイツ等とブーツ等との調和（ファッションとしてのコーディネイト等を含む）を検討したい場合がある。典型的には、たとえば、スカートおよびタイツを履いてブーツを履いた場合にタイツの色合いおよび／または柄がブーツの色合い等に調和するか否かを検討したい場合である。このような要望を実現する展示台として、本出願人が出願して実用新案登録されている、足被覆衣類用展示台（特許文献３：実用新案登録第３１９５３５２号公報）がある。
【０００５】
特許文献３に開示された足被覆衣類用展示台によると、靴下等の足被覆衣類の展示に好適に用いられ、靴下等の足被覆衣類のサンプル品を履かせた足型に靴側面のイメージが描かれた平面プレートとの位置を略合致させることにより、靴下等の足被覆衣類を履いて靴等の履物を履いたときにどのように見えるのかを確認することができるとともに、複数の組合せにおける靴下等の足被覆衣類と靴等の履物との調和を簡単に比較することができる。
【先行技術文献】
【特許文献】
【０００６】
【特許文献１】実用新案登録第３１９０５６１号公報
【特許文献２】実用新案登録第３１９２７４６号公報
【特許文献２】実用新案登録第３１９５３５２号公報
【発明の概要】
【発明が解決しようとする課題】
【０００７】
上述した特許文献１および特許文献２に開示されたようなパッケージを用いると従来のパッケージが抱えていた問題点を解決することができて好ましく、特許文献３に開示されたような足被覆衣類用展示台を用いると、靴下等の足被覆衣類と靴等の履物との調和を簡単に比較できて好ましい。
ところで、タイツ、パンティストッキング、レギンス、靴下、フットカバー等の足被覆
衣類は、上述した特許文献１または特許文献２に開示されたようなパッケージに包装されて陳列販売されている。このような陳列販売されている足被覆衣類について靴等の履物との調和を確認する際に、特許文献３に開示された足被覆衣類用展示台の足型に履かせるサンプル品が準備されていない場合、試着が好ましくない足被覆衣類は、パッケージから足被覆衣類を取り出すことは許容されるものではない。また、サンプル品が準備されている場合であっても、足型にサンプル品を履かせる手間がかかる。
【０００８】
本発明は、従来技術の上述の問題点に鑑みて開発されたものであり、その目的とするところは、人が足に履く足被覆衣類が包装され、表面および裏面と薄い側面とで形成される略直方体形状のパッケージに好適に用いられ、タイツ等の足被覆衣類を履いてブーツ等の靴（履物）を履いたときにどのように見えるのかを極めて簡単に確認することができるとともに、タイツと履物との調和を簡単に比較することができる、展示治具を提供することを目的とする。
【０００９】
なお、本発明に係る展示治具が好適に適用される足被覆衣類には、タイツおよびパンティーストッキング（これらの一部（足首より先の部分やパンティ部等）を欠落させた、スパッツ、レギンスおよびトレンカ等と呼ばれるものを含む）、ならびに、膝下くらいまでの長さのハイソックス、ふくらはぎくらいまでの長さのスリークォーターソックス、ふくらはぎ中央くらいまでの長さのブーツソックス等の靴下を含む。
【００１０】
さらに、本発明に係る展示治具が好適に適用される履物には、ブーツのみならず、スニーカーおよび革靴等の一般的な靴に加えて、ハイヒール、パンプス等を含む。
【課題を解決するための手段】
【００１１】
上記目的を達成するため、本発明に係る展示治具は以下の技術的手段を講じている。
すなわち、本発明に係る展示治具は、人が足に履く足被覆衣類が包装され、表面および裏面と薄い側面とで形成される略直方体形状のパッケージに好適な展示治具であって、前記パッケージは、前記表面および前記裏面の少なくとも一方に透明部分または切欠部分を備え、前記透明部分または前記切欠部分を通して前記足被覆衣類が視覚により認識でき、前記展示治具は、前記パッケージの形状に対応した大きさで前記パッケージを内包することができ、かつ、上面が開いた箱型形状を備え、前記箱型形状における前記表面または前記裏面に対応する平面において、履物および前記履物を履いている足部の写真またはイラストが前記平面に表示され、かつ、前記足部に対応する前記平面が切り欠かれた部分または前記足部に対応する部分が透明な部分で形成され、前記上面から前記パッケージを挿入して前記展示治具に内包した場合に、前記平面において切り欠かれた部分または透明な部分に前記透明部分または前記切欠部分が位置することを特徴とする。
【００１２】
好ましくは、２以上の前記展示治具から構成され、異なる展示治具の平面には異なる履物が表示されているように構成することができる。
さらに好ましくは、前記足被覆衣類はタイツであって、前記履物はブーツであるように構成することができる。
【発明の効果】
【００１３】
本発明の展示治具によれば、人が足に履く足被覆衣類が包装されたパッケージに好適に用いられ、タイツ等の足被覆衣類を履いてブーツ等の靴（履物）を履いたときにどのように見えるのかを極めて簡単に確認することができるとともに、タイツと履物との調和を簡単に比較することができる、展示治具を提供することができる。
【図面の簡単な説明】
【００１４】
【図１】本発明の実施の形態に係る展示治具を示す図およびその展示治具を用いた展示販売状態を説明するための図である。
【図２】図１の展示治具にパッケージを挿入する状態を説明するための図（Ａ）および図１の展示治具にパッケージを挿入した状態を説明するための図（Ｂ）である。
【発明を実施するための形態】
【００１５】
以下、本発明の実施の形態に係る展示治具１００およびこの展示治具１００を２以上並べて構成した展示治具（ここでは展示販売台３００とする）を用いた展示販売状態を、図面に基づき詳しく説明する。なお、以下においては、パッケージ２００に包装され展示治
具１００に挿入される足被覆衣類はタイツＴであるとして、履物はブーツであるとして説明するが、足被覆衣類はタイツに限定されるものではなく、履物はブーツに限定されるものではない。
【００１６】
この展示治具１００を示す図およびその展示治具１００を２以上並べて構成した展示販売台３００を用いた展示販売状態を説明するための図１、ならびに、この展示治具１００にパッケージ２００を挿入する状態を説明するための図２（Ａ）およびこの展示治具１００にパッケージ２００を挿入した状態を説明するための図２（Ｂ）を参照して、人が足に履く足被覆衣類であるタイツＴが包装され、表面２１０および裏面２１２と薄い側面２１４とで形成される略直方体形状のパッケージ２００に好適な展示治具１００について説明する。
【００１７】
ここで、パッケージ２００は、表面２１０および裏面２１２の少なくとも一方に透明部分２３０を備え、透明部分２３０を通して足被覆衣類であるタイツＴを視覚により認識することができる。なお、この透明部分２３０は、単なる切欠部分であってもよく、切欠部分に透明フィルムを貼付したものであっても構わない。さらに、後述するように展示治具１００にパッケージ２００を挿入してタイツＴとブーツとの調和を確認できるものであれば、特許文献１または特許文献２に開示されたようなパッケージであっても構わない。
【００１８】
また、パッケージ２００には、その平面である表面２１０または裏面２１２に、そのパッケージ２００に包装されたタイツＴの商品名、訴求ポイント（キャッチフレーズ）、仕様（糸使い、サイズ、色）等が記載された表示領域２２０を備える。
そして、展示治具１００は、パッケージ２００の形状に対応した大きさでパッケージ２００を内包することができ（展示治具１００の縦横および厚み寸法がパッケージ２００の縦横および厚み寸法よりも少なくとも一回りずつ大きい）、かつ、上面１２０が開いた箱型形状を備える。なお、展示治具１００は、パッケージ２００を容易に抜き差しできる程度にパッケージ２００よりも一回り大きければよいが、展示治具１００の厚み寸法がパッケージ２００の厚み寸法に対して大きすぎると容易に抜き差しできる点では好ましいが、以下の点で好ましくない。後述するように展示治具１００にパッケージ２００を挿入してタイツＴとブーツとの調和を確認する場合において、展示治具１００の厚み寸法がパッケージ２００の厚み寸法に対して大きすぎるとパッケージ２００と展示治具１００との間隙が大きくパッケージ２００の透明部分２３０とブーツの写真が描かれた展示治具１００の平面１１０とに隙間ができ、パッケージ２００が展示治具１００に十分に保持されないため、タイツＴとブーツとの調和を確認しにくい点で好ましくない。
【００１９】
そして、その箱型形状における平面１１０（パッケージ２００の表面２１０または裏面２１２に対応する平面）において、履物および履物を履いている足部の写真またはイラストが平面１１０に表示され、かつ、足部に対応する平面が切り欠かれた部分１３０を備える。ここでは、この展示治具１００の平面１１０には、履物写真１１２が写真で描かれているとともに、足部に対応する平面が切り欠かれた部分１３０を備える。なお、この切り欠かれた部分１３０は、単なる切欠部分であってもよく、切欠部分に透明フィルムを貼付したものであってもよく、そもそも足部に対応する部分が透明な部分で形成されるものであっても（たとえば、平面１１０自体が透明であって履物写真１１２および足部以外の少なくとも一部が有色不透明）構わない。
【００２０】
そして、図２（Ａ）に示すように展示治具１００の上面１２０からパッケージ２００を挿入して展示治具１００にパッケージ２００を内包した場合に、図２（Ｂ）に示すように平面１１０において切り欠かれた部分１３０に透明部分２３０が位置するように、パッケージ２００自体の寸法およびパッケージ２００における透明部分２３０の大きさおよび位置、ならびに、展示治具１００における切り欠かれた部分１３０の大きさおよび位置が決定されている。
【００２１】
そして、好ましくは、図１に示すように、この展示治具１００を２以上を並べて構成した展示販売台３００を構成して、異なる展示治具１００の平面には異なる履物が表示されるようにして、多数のパッケージ２００を展示することが好ましい。
この場合において、この展示販売台３００自体は従来の什器を用いて、たとえば、その
最上段に２以上のこの展示治具１００を並べるようにすると、従来の什器をそのまま用いることができる点で好ましい。なお、この展示販売台３００は、従来の什器と同様に（従来の什器そのものであっても構わない）、四角型の枠体３１０にストッパー付きのキャスター３２０が設けられ上部に訴求ポイントを表示する表示エリア３３０を備えた、パッケージ２００を多数並べて展示販売できる什器である。
【００２２】
さらに詳しくは、この展示販売台３００においては、パッケージ２００の上部のタイツＴが位置しない部分に丸穴を設けておいて、枠体３１０に複数段および複数列（ここでは４段×５列）の支柱を突設しておいて（図１において紙面表裏方向に突設）、色／サイズ／柄別等に区分したパッケージ２００を支柱にその丸穴を通して係止させている（同じ種類のタイツＴを包装したパッケージ２００が同じ支柱に係止されている）。図１には現れていないが、図１において１本の支柱毎に、紙面表裏方向に多数のパッケージ２００が係止されており、タイツＴの購入検討者は、視覚で容易に色／サイズ／柄を確認して、パッケージ２００を支柱から取り外すことができる。
【００２３】
上述した構造を備える本実施の形態に係る展示治具１００およびこの展示治具１００を２以上を並べて構成した展示販売台３００を用いた展示販売状態（展示販売方法）について説明する。
上述したように展示販売台３００においては、その上部に目立つように、訴求ポイントであるタイツＴとブーツとのコーディネイト（調和）を容易に確認できることを購入検討者に遡及して購入検討者をこの展示販売台３００に誘引するための内容が表示エリア３３０に表示されている。これを見た購入検討者は、この展示販売台３００に近寄って、気になる（気に入った）タイツＴが包装されたパッケージ２００を展示販売台３００の支柱から抜き出して、図１および図２（Ａ）に示すように、パッケージ２００の透明部分２３０が前面になるようにパッケージ２００の表裏を確認して、展示治具１００の上面１２０の開口部からパッケージ２００を、気になる（気に入った）ブーツが平面１１０に描かれた展示治具１００内に挿入する。
【００２４】
展示治具１００の上面１２０からパッケージ２００を挿入して展示治具１００にパッケージ２００を内包すると、図２（Ｂ）に示すように平面１１０において切り欠かれた部分１３０に透明部分２３０が位置して、気になる（気に入った）タイツＴと気になる（気に入った）ブーツとの調和を容易に確認することができる。
さらに、この購入検討者は、同じパッケージ２００を、異なるブーツが平面１１０に描かれた展示治具１００に入れ替えると、気になる（気に入った）タイツＴと先ほどとは異なるブーツとの調和を容易に確認することができる。さらに、この購入検討者は、異なる種類のタイツＴが包装されたパッケージ２００を展示販売台３００の支柱から抜き出して、気になる（気に入った）ブーツが平面１１０に描かれた展示治具１００に入れ替えると、先ほどとは異なるタイツＴとブーツとの調和を容易に確認することができる。
【００２５】
このような動作を繰り返すことにより、気になる（気に入った）タイツＴと異なるブーツとの調和を容易に繰り返して確認することができる。購入検討者は、このような確認動作を行っている際に、購入することを決心すると、購入を決心したタイツＴが包装されたパッケージ２００を手元に残しておいて（展示販売台３００の支柱に戻すことなく）、別のタイツＴとブーツとの調和をさらに確認する。手元に残したパッケージ２００を会計場所へ持って行き会計を済ますことにより、タイツＴを購入することができる。
【００２６】
以上のようにして、本実施の形態に係る展示治具１００によると、人が足に履く足被覆衣類が包装されたパッケージに好適に用いられ、タイツ等の足被覆衣類を履いてブーツ等の靴（履物）を履いたときにどのように見えるのかを極めて簡単に確認することができるとともに、タイツと履物との調和を簡単に比較することができる。
ここで、本発明における足被覆衣類（この段落においてタイツ）と履物（この段落においてブーツ）との調和を比較することと、コンピュータグラフィック等を用いて仮想的にタイツとブーツとの調和を比較することとの差異について、補足的に説明する。コンピュータグラフィックを用いれば、タイツとブーツとの調和を仮想的にかつ簡単に比較することができるのであるが、あくまでも仮想的であってコンピュータに接続されたモニタを通
して視覚により認識できる見え方は現実の見え方とは異なることに起因して、また、タイツの素材の違い等による見え方の違いに起因して、タイツとブーツとの調和を比較した結果をコンピュータグラフィックで（人の視覚に対して忠実に）表現することは困難である。このような点で、コンピュータグラフィックを用いてタイツとブーツとの調和を仮想的に比較することは十分なものではない。
【００２７】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２８】
本発明は、人が足に履く足被覆衣類が包装されたパッケージに好適であり、タイツ等の足被覆衣類を履いてブーツ等の靴（履物）を履いたときにどのように見えるのかを極めて簡単に確認することができるとともに、タイツと履物との調和を簡単に比較することができる展示に特に好適である。
【符号の説明】
【００２９】
１００  展示治具
２００  パッケージ
３００  展示販売台
【図１】
2017093880.tif 000003
【図２】
2017093880.tif 000004